(57)【要約】【課題】縦枠に対する摩擦シューの固定および取外しを容易に行うことのできるエレベータの案内装置の提供。  【解決手段】乗かご１の縦枠２に装着され、昇降路に立設されたガイドレールに摺接して乗かご１の昇降を案内する摩擦シュー５を備えたエレベータの案内装置において、摩擦シュー５は、縦枠２の延設方向に対して側方から直交する取付け方向を有する取付け手段、例えば縦枠２に設けられ立上げ片１０ａを有するブラケット１０、および立上げ片１０ａに摩擦シュー５を固定するボルト１１により取付けられる構成としてある。【選択図】図１
2005350192.tif 000002
【特許請求の範囲】
【請求項１】
乗かごの縦枠に装着され、昇降路に立設されたガイドレールに摺接して前記乗かごの昇降を案内する摩擦シューを備えたエレベータの案内装置において、
前記摩擦シューは、前記縦枠の延設方向に対して側方から直交する取付け方向を有する取付け手段により固定されることを特徴とするエレベータの案内装置。
【請求項２】
前記取付け手段は、前記縦枠に設けられ立上げ片を有するブラケットと、前記立上げ片に前記摩擦シューを固定するボルトとから成ることを特徴とする請求項１記載のエレベータの案内装置。
【発明の詳細な説明】
【技術分野】
【０００１】
本発明は、昇降路に立設されたガイドレールに摺接して乗かごの昇降を案内する摩擦シューを備えたエレベータの案内装置に関する。
【背景技術】
【０００２】
従来、エレベータの乗かごをガイドレールに沿って案内する案内装置として、ローラタイプと摩擦シュータイプの２種類がある。ローラタイプはかご枠の上枠および縦枠の下部に取付けられることからガイドレールに対して前後左右の調整を容易に行なうことができるという利点がある一方、比較的大きな構造体であるガイドローラをかご枠に取付けることを要するため、かご枠の高さ寸法が大きくなるという問題があった。これに対しシュータイプは比較的小さな構造体である摩擦シューを縦枠の中に嵌め込む形で装着することが可能となることから、省スペース化を図る上で都合の良いものである（例えば、特許文献１参照）。
【特許文献１】特開２０００−１３６０７６号公報  （段落番号０００７〜０００９、図１）
【発明の開示】
【発明が解決しようとする課題】
【０００３】
前述した従来のシュータイプの案内装置では、縦枠に対する摩擦シューの固定は、縦枠に対して正面から行なう必要がある。しかし、摩擦シューの取付け位置がかご天井やその他かご上部品と近接しており、限られたスペースの中で作業を行なわなければならない場合、必ずしも縦枠に向かって正面からボルトや工具を扱うことは容易ではなく、したがって、摩擦シューの取付け、および交換に時間を要するという問題があった。
【０００４】
本発明は、上述した従来技術における実状からなされたもので、その目的は、縦枠に対する摩擦シューの固定および取外しを容易に行うことのできるエレベータの案内装置を提供することにある。
【課題を解決するための手段】
【０００５】
前記目的を達成するために、乗かごの縦枠に装着され、昇降路に立設されたガイドレールに摺接して前記乗かごの昇降を案内する摩擦シューを備えたエレベータの案内装置において、前記摩擦シューは、前記縦枠の延設方向に対して側方から直交する取付け方向を有する取付け手段により固定される構成にしてある。
【０００６】
このように構成した本発明は、摩擦シューは縦枠に対し、この縦枠の延設方向に対して側方から直交する取付け方向を有する取付け手段により固定されることから、摩擦シューの取付け作業をかご天井やその他かご上部品に邪魔されることなく実施することができ、したがって、摩擦シューの固定および取外しを容易に行うことができる。
【発明の効果】
【０００７】
本発明は、摩擦シューの取付け位置がかご天井やその他かご上部品と近接していてスペースが限られている場合であっても縦枠に対する摩擦シューの固定および取外しを容易に行うことができ、したがって、短時間で作業を完了することができる。
【発明を実施するための最良の形態】
【０００８】
以下、本発明に係るエレベータの案内装置の実施形態を図に基づいて説明する。
【０００９】
図１は本発明のエレベータの案内装置の第１の実施形態の要部構成を示す正面図、図２は案内装置の拡大図、図３は案内装置が取付けられる乗かご全体概略図である。
【００１０】
エレベータは図３に示すように、昇降路に立設された図示しないガイドレールに沿って昇降する乗かご１を備えるとともに、この乗かご１は、縦枠２、上枠３および下枠４を有している。また、縦枠２の上端および下端にはガイドレールに摺接する摩擦シュー５が装着され、乗かご１の昇降を案内するようになっている。
【００１１】
そして、摩擦シュー５は図１に示すように、縦枠２の延設方向に対して側方から直交する取付け方向を有する取付け手段、すなわち、縦枠２に設けられ立上げ片１０ａを有するブラケット１０と、立上げ片１０ａに摩擦シュー５を固定するボルト１１とにより固定される。また、図２に示すように摩擦シュー５のケーシング５ａには、ボルト１１が螺合されるナット部５ｂ、５ｃが形成されている。なお、ブラケット１０はボルト１２により摩擦シュー５の縦枠２に固定されるようになっている。
【００１２】
本実施形態にあっては、摩擦シュー５を縦枠２に取付ける際、まず、乗かご１の傾きを考慮する。すなわち、図示しないロープにより垂下される乗かご２はその重心の偏りにより、図３に示す乗場２０から離れる方向、或いは乗場２０に近づく方向のいずれか一方に傾き、したがって、摩擦シュー５の摺接面５ｄ、５ｅのうち一方の摺接面、本実施形態では摺接面５ｄがガイドレールに主に摺接して乗かご１を案内することになる。ブラケット１０およびボルト１１による摩擦シュー５の縦枠２に対する取付けは、摩擦シュー５の左右いずれか一方、すなわちガイドレールと摺接することにより主に力が作用する摺接面５ｄ側が固定されることにより十分な強度を確保することができ、したがって、本実施形態ではブラケット１０が縦枠２の摺接面５ｄ側にボルト１２により固定される。次いで、ブラケット１０の立上げ片１０ａとケーシング５ａの側面を対向させるとともに、立上げ片１０ａを介してボルト１１をナット部５ｂに螺合することにより摩擦シュー５を固定する。なお、乗かご１の傾きはエレベータの個体によって異なることから、それぞれの傾きに対応することができるように、ブラケット１０はケーシング５ａの摺接面５ｄ、５ｅのいずれの側にも取付け可能であるとともに、それぞれの側でボルト１１が螺合可能なようにナット部５ｂ、５ｃが形成されている。
【００１３】
このように構成した実施形態によれば、摩擦シュー２の取付け位置がかご天井やその他かご上部品と近接していてスペースが限られている場合であっても縦枠２に対する摩擦シュー５の固定および取外しを容易に行うことができる。
【図面の簡単な説明】
【００１４】
【図１】本発明のエレベータの案内装置の第１の実施形態の要部構成を示す正面図である。
【図２】案内装置の拡大図である。
【図３】案内装置が取付けられる乗かごの全体概略図である。
【符号の説明】
【００１５】
１      乗かご
２      縦枠
５      摩擦シュー
５ａ    ケーシング
５ｂ    ナット部
５ｃ    ナット部
１０    ブラケット
１０ａ  立上げ片
１１    ボルト
【図１】
2005350192.tif 000003
【図２】
2005350192.tif 000004
【図３】
2005350192.tif 000005